(57)【要約】【課題】緊急事態が発生した場合にその状況を正確に記録し、確実に防犯対策を行うことができる携帯端末を提供する。【解決手段】音声を集音する集音手段と、集音手段により集音された音声を拡大して外部に出力する拡声モードを起動させる拡声モード起動手段と、拡声モードが起動された場合、集音手段により集音された音声を拡大して出力する拡声出力手段と、集音手段により集音された音声に基づく音声データを記憶する拡声データ記憶手段とを備えた。【選択図】  図４
2010226461.tif 000002
【特許請求の範囲】
【請求項１】
音声を集音する集音手段と、
前記集音手段により集音された音声を拡大して外部に出力する拡声モードを起動させる拡声モード起動手段と、
前記拡声モードが起動された場合、前記集音手段により集音された前記音声を拡大して出力する拡声出力手段と、
前記集音手段により集音された音声に基づく音声データを記憶する拡声データ記憶手段とを備えたことを特徴とする携帯端末。
【請求項２】
前記集音手段により集音された音声を拡声キーワードとして記憶するキーワード記憶手段と、
前記拡声モードが起動された場合、前記集音手段により集音された前記音声から前記キーワード記憶手段に記憶された前記拡声キーワードを検出する検出手段と、
前記拡声キーワードが検出された場合、予め設定された所定の電話番号に発呼処理を行う発呼制御手段とをさらに備えた請求項１記載の携帯端末。
【請求項３】
前記集音手段により集音された音声を拡声キーワードとして記憶するキーワード記憶手段と、
前記拡声モードが起動された場合、前記集音手段により集音された前記音声から前記キーワード記憶手段に記憶された前記拡声キーワードを検出する検出手段と、
前記拡声キーワードが検出された場合、静止画または動画の撮影を開始する撮影手段と、
前記撮影手段により撮影された静止画または動画に基づく撮影データを記憶する撮影データ記憶手段とを備えた請求項１記載の携帯端末。
【請求項４】
前記拡声キーワードが検出された場合、前記拡声データ記憶手段に記憶された前記音声データおよび前記撮影データ記憶手段に記憶された前記撮影データの少なくとも一方が添付された電子メールを所定の電子メールアドレスに送信する電子メール送信制御手段とをさらに備えた請求項３記載の携帯端末。
【請求項５】
前記拡声キーワードが検出された場合、前記拡声データ記憶手段に記憶された前記音声データおよび前記撮影データ記憶手段に記憶された前記撮影データの少なくとも一方を所定のＵＲＬにアップロードするアップロード制御手段とをさらに備えた請求項３記載の携帯端末。
【発明の詳細な説明】
【技術分野】
【０００１】
本発明は携帯端末に係り、特に音声を拡大して出力する拡声器機能を備えた携帯端末に関する。
【背景技術】
【０００２】
今日、防犯対策に利用することができる携帯端末が知られている。例えば、事故・事件発生時などの緊急事態発生時において、プリセットされたアラーム音を鳴動させることで緊急事態を周囲に通知させる携帯端末が知られている。このような防犯対策機能は、アラーム音が聞こえる範囲に他の者が存在する際には防犯対策として有効となる場合がある。
【０００３】
しかし、アラーム音で緊急事態を通知するだけでは、通知したい相手に正確に伝えることが難しい。また、アラーム音の起動トリガがキー操作であった場合には、誤操作により緊急事態以外においても防犯機能を起動させてしまう可能性がある。
【０００４】
今日の携帯端末は、携帯電話機のような通信機能を備えたものが広く利用されている。そのため、単に周囲に存在する他の者にアラーム音を通知することによる防犯対策機能では、携帯端末の特性を十分に生かした機能とはいえない。
【０００５】
ここで、従来、事故、犯罪などの危難に遭遇したとき、気が動転していても所定の連絡先に所定のメッセージを確実に送信できる携帯電話機が知られている（例えば、特許文献１参照）。
【先行技術文献】
【特許文献】
【０００６】
【特許文献１】特開２００７−１９９３３号公報
【発明の概要】
【発明が解決しようとする課題】
【０００７】
特許文献１に開示された携帯電話機は、キー操作が困難および不可能な場合であっても救難メッセージを着実に送信することができるものであった。しかし、特許文献１に開示された携帯電話機は、危難に遭遇した場合には予め登録された救難メッセージを送信するのみで、当事者および周囲の者に危難の状況を正確に把握する、または、させることができなかった。
【０００８】
本発明はこのような事情を考慮してなされたもので、緊急事態が発生した場合にその状況を正確に記録し、確実に防犯対策を行うことができる携帯端末を提供することを目的とする。
【課題を解決するための手段】
【０００９】
本発明に係る携帯端末は、音声を集音する集音手段と、前記集音手段により集音された音声を拡大して外部に出力する拡声モードを起動させる拡声モード起動手段と、前記拡声モードが起動された場合、前記集音手段により集音された前記音声を拡大して出力する拡声出力手段と、前記集音手段により集音された音声に基づく音声データを記憶する拡声データ記憶手段とを備えたことを特徴とする。
【発明の効果】
【００１０】
本発明に係る携帯端末は、緊急事態が発生した場合にその状況を正確に記録し、確実に防犯対策を行うことができる。
【図面の簡単な説明】
【００１１】
【図１】本発明に係る携帯端末装置の一例である折り畳み式の携帯電話機の外観の構成を示す図。
【図２】本発明に係る携帯端末装置の一例である折り畳み式の携帯電話機の他の外観の構成を示す図。
【図３】本実施形態における携帯電話機の主な機能構成を示す概略的な機能ブロック図。
【図４】本実施形態における携帯電話機で拡声モードが起動した場合の処理を説明するフローチャート。
【図５】本実施形態における携帯電話機で実行される拡声キーワードの設定処理を説明するフローチャート。
【図６】本実施形態における携帯電話機により実行される緊急時撮影機能による緊急時撮影処理の流れを説明するフローチャート。
【図７】本実施形態における携帯電話機により実行される緊急通信機能による緊急通信処理の流れを説明するフローチャート。
【発明を実施するための形態】
【００１２】
本発明に係る携帯端末の実施形態を添付図面に基づいて説明する。
【００１３】
図１は、本発明に係る携帯端末の一例である折り畳み式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。
【００１４】
図１（Ａ）および（Ｂ）に示されるように、携帯電話機１は、中央のヒンジ部１１を境に第一の筐体１２と第二の筐体１３とがヒンジ結合されている。第一の筐体１２と第二の筐体１３とは、ヒンジ部１１を介して矢印Ｘ方向に折り畳み可能に形成される。携帯電話機１の内部の所定の位置には、送受信用のアンテナ（後述する図３のアンテナ３８）が設けられており、内蔵されたアンテナを介して基地局（図示せず）との間で電波を送受信する。
【００１５】
第一の筐体１２には、その表面に操作キー１４が設けられる。操作キー１４は、特に、「０」から「９」の数字や「あ」行から「わ」行のかな文字、「Ａ」から「Ｚ」のアルファベットの入力が可能な数字キー１５や、上下左右方向キーを備えた十字キー１６、確定キー１７、左ソフトキー１８、右ソフトキー１９などで構成される。
【００１６】
十字キー１６は、上下左右方向に操作されることによりメインディスプレイ２３に表示されたカーソルなどを上下左右方向に移動させることができる。また、確定キー１７が押下されることにより、種々の処理の確定処理が実行される。確定キー１７には、メインディスプレイ２３の下部に設けられた確定キー機能表示部２３ａに表示される処理も割り当てられる。
【００１７】
さらに、第一の筐体１２の十字キー１６および確定キー１７の上部には、左ソフトキー１８および右ソフトキー１９が設けられる。第一の筐体１２の側面には、携帯電話機１の操作を行うサイドキー２２が設けられる。左ソフトキー１８、右ソフトキー１９およびサイドキー２２は、第一の筐体１２の内部方向に押下されることによって、それぞれ所定の処理が割り当てられている。特に左ソフトキー１８および右ソフトキー１９は、メインディスプレイ２３の下部に設けられた左ソフトキー機能表示部２３ｂおよび右ソフトキー機能表示部２３ｃに表示される処理が割り当てられる。
【００１８】
第一の筐体１２には、操作キー１４の下部にマイクロフォン２４が設けられており、マイクロフォン２４によって通話時のユーザの音声を集音する。
【００１９】
なお、第一の筐体１２は、背面側に図示しないバッテリパックが挿着されており、操作キー１４のうち電源キーとして割り当てられたキーが押下されてオン状態になると、バッテリパックから各回路部に対して電力が供給されて動作可能な状態に起動する。
【００２０】
一方、第二の筐体１３には、その大部分の面積を占めるメインディスプレイ２３が設けられており、電波の受信状態、電池残量の他、電子メールの内容、簡易ホームページなどを表示することができる。なお、メインディスプレイ２３は、例えばＬＣＤ（ＬｉｑｕｉｄＣｒｙｓｔａｌＤｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。
【００２１】
第二の筐体１３のメインディスプレイ２３の上部の所定の位置にはレシーバ（受話器）２５が設けられており、これにより、ユーザは音声通話することが可能である。さらに、第二の筐体１３のレシーバ２５上部には、内部ＣＣＤカメラ２６が設けられており、これにより、所望の撮影対象を撮影することができる。
【００２２】
図２は、本発明に係る携帯端末装置の一例である折り畳み式の携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。
【００２３】
第二の筐体１３の上部には、外部ＣＣＤカメラ２７が設けられており、これにより、所望の撮影対象を撮影することができる。外部ＣＣＤカメラ２７の図示上部には、レシーバ２５以外の音声出力部としてのスピーカ３５が設けられる。また、第二の筐体１３には、例えばＬＣＤで構成されるサブディスプレイ２８が設けられており、現在のアンテナの感度のレベルを示すアンテナピクト、携帯電話機１の現在の電池残量を示す電池ピクト、現在の時刻などが表示される。
【００２４】
図３は、本実施形態における携帯電話機１の主な機能構成を示す概略的な機能ブロック図である。携帯電話機１は、主制御部３０、電源回路部３１、入力制御部３２、表示制御部３３、音声制御部３４、通信制御部３６、記憶部３７がバスによって相互に通信可能に接続されて構成されている。
【００２５】
主制御部３０は、ＣＰＵ（ＣｅｎｔｒａｌＰｒｏｃｅｓｓｉｎｇＵｎｉｔ）を具備し、記憶部３７に記憶された各種プログラムに基づき動作して、携帯電話機１の総括的な制御を行う。電源回路部３１は、操作キー１４に含まれる電源キーに対する入力インタフェースを備える。電源回路部３１は、ユーザにより電源キーが押されたことを検知すると、その旨を示す信号を生成して主制御部３０に伝送する。また、電源回路部３１は、電力供給源（バッテリ）を備える。電源回路部３１は、電源キーを介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００２６】
入力制御部３２は操作キー１４、サイドキー２２、内部ＣＣＤカメラ２６および外部ＣＣＤカメラ２７（ＣＣＤカメラ２６、２７）に対する入力インタフェースを備える。入力制御部３２は、操作キー１４、サイドキー２２のいずれかが押されたことを検知すると、押されたキーを示す信号を生成して主制御部３０に伝送する。ＣＣＤカメラ２６、２７は、ＣＣＤなどからなる撮像素子を備えており、撮影光学系による被写体像を光電変換して、画像信号を生成する。ＣＣＤカメラ２６、２７は、本実施形態においては撮影手段として機能する。
【００２７】
表示制御部３３はメインディスプレイ２３およびサブディスプレイ２８に対する表示インタフェースを備える。表示制御部３３は、主制御部３０の制御に基づいて、文書データや画像信号に基づいた撮影画像をメインディスプレイ２３あるいはサブディスプレイ２８に表示する。
【００２８】
音声制御部３４は、主制御部３０の制御に基づいて、マイクロフォン２４で集音された音声からアナログ音声信号を生成し、このアナログ音声信号をデジタル音声信号に変換する。また音声制御部３４は、デジタル音声信号を取得すると、主制御部３０の制御に基づいて、このデジタル音声信号をアナログ音声信号に変換し、レシーバ２５またはスピーカ３５から音声として出力する。音声制御部３４およびスピーカ３５は、本実施形態においては拡声出力手段として機能する。また、音声制御部３４およびマイクロフォン２４は、本実施形態においては集音手段として機能する。
【００２９】
通信制御部３６は、主制御部３０の制御に基づいて、基地局からアンテナ３８を介して受信した受信信号をスペクトラム逆拡散処理してデータを復元する。このデータは、主制御部３０の指示により、音声制御部３４に伝送されてレシーバ２５やスピーカ３５から出力されたり、表示制御部３３に伝送されてメインディスプレイ２３に表示されたり、または記憶部３７に記録されたりする。また通信制御部３６は、主制御部３０の制御に基づいて、マイクロフォン２４で集音された音声データや操作キー１４を介して入力されたデータや記憶部３７に記憶されたデータを取得すると、これらのデータに対してスペクトラム拡散処理を行い、基地局に対してアンテナ３８を介して送信する。
【００３０】
通信制御部３６は、本実施形態においては発呼制御手段、電子メール送信制御手段およびアップロード制御手段として機能する。
【００３１】
記憶部３７は、主制御部３０が行う処理についての処理プログラムや処理に必要なデータなどを格納するＲＯＭ（ＲｅａｄＯｎｌｙＭｅｍｏｒｙ）やハードディスク、不揮発性メモリ、データベース、主制御部３０が処理を行う際に使用されるデータを一時的に記憶するＲＡＭ（ＲａｎｄｏｍＡｃｃｅｓｓＭｅｍｏｒｙ）などから構成される。
【００３２】
記憶部３７には、本実施形態における携帯電話機１に設けられた防犯対策機能を実現するための各種データが記憶されたユーザデータ格納部４１が設けられる。ユーザデータ格納部４１には、拡声キーワードデータフォルダ（ＤＦ）４２、拡声モード音声・画像データフォルダ（ＤＦ）４３、緊急連絡先データベース（ＤＢ）４４が設けられる。
【００３３】
拡声キーワードＤＦ４２には、ＣＣＤカメラ２６、２７による撮影および拡声モード起動後における緊急連絡先への通信の起動トリガとなる音声パターンや語句が拡声キーワードとして格納される。
【００３４】
拡声モード音声・画像ＤＦ４３には、拡声モード起動中において録音された音声データ、撮影された画像データが格納される。
【００３５】
緊急連絡先ＤＢ４４には、拡声モード起動中において緊急連絡先として用いられる電話番号、電子メールアドレス、ＵＲＬが格納される。
【００３６】
本実施形態における携帯電話機１は、防犯対策機能としての拡声器機能、緊急時撮影機能、および緊急通信機能を備える。「拡声器機能」は、携帯電話機１を、集音された音声を拡大して出力(拡声）する拡声器として用いることができる機能である。また、「緊急時撮影機能」および「緊急通信機能」は、拡声された音声の中から予め設定された拡声キーワードが検出された場合に、ＣＣＤカメラ２６、２７を起動する機能、および所定の緊急連絡先に緊急連絡を行う機能である。以下、拡声モード、緊急時撮影機能および緊急通信機能の詳細について説明する。
【００３７】
まず、携帯電話機１において拡声モードが起動され、拡声器として使用される場合の動作について説明する。
【００３８】
図４は、本実施形態における携帯電話機１で拡声モードが起動した場合の処理を説明するフローチャートである。
【００３９】
ステップＳ１において、主制御部３０は、拡声モードを起動させる指示を受け付けたか否かの判定を行う。拡声モードを起動させる指示は、例えば所定の操作キー１４による入力操作（例えば確定キー１７による長押し操作）により受け付ける。主制御部３０は、拡声モードを起動させる指示を受け付けていないと判定した場合、指示を受け付けるまで待機する。
【００４０】
一方、主制御部３０は、拡声モードを起動させる指示を受け付けたと判定した場合、ステップＳ２において、音声制御部３４を制御することによりマイクロフォン２４より入力されたユーザの音声を集音する。
【００４１】
ステップＳ３において、主制御部３０は、音声制御部３４を制御することにより集音ステップＳ２で集音された音声を拡声してスピーカ３５より出力する。このときスピーカ３５より出力される音声は、一般的に用いられる拡声器と同様に周囲にいる他の者に届く音量に拡大されて出力される。例えば、携帯電話機１のユーザが、事故や事件に巻き込まれた場合に、周囲にいる他の者に助けを求めることができる程度の音量で出力される。
【００４２】
ステップＳ４において、主制御部３０は、集音ステップＳ２において集音された音声に基づく音声データを記憶部３７の拡声モード音声・画像ＤＦ４３に記録する。
【００４３】
ステップＳ５において、主制御部３０は、拡声モードを終了させる指示を受け付けたか否かの判定を行う。拡声モードを終了させる指示は、例えば所定の操作キー１４による入力操作（例えば確定キー１７による短押し操作）により受け付ける。主制御部３０は、拡声モードを終了させる指示を受け付けていないと判定した場合、集音ステップＳ２に戻り、拡声モードを終了させる指示を受け付けるまで集音ステップＳ２〜終了判定ステップＳ５の処理を繰り返す。
【００４４】
一方、主制御部３０は、拡声モードを終了させる指示を受け付けたと判定した場合、拡声モードを終了し、拡声モード処理は終了する。
【００４５】
なお、主制御部３０が音声データを記録するタイミングは、拡声ステップＳ３で出力される前であってもよい。また、拡声モードは、例えば所定の操作キー１４の押下が継続されている間に起動し、所定の操作キー１４の押下が終了した場合に終了するように構成してもよい。
【００４６】
以上で、拡声モード処理の説明を終了する。
【００４７】
次に、携帯電話機１で実行される緊急時撮影機能および緊急通信機能について説明する。緊急時撮影機能および緊急通信機能を説明する前に、緊急時撮影機能および緊急通信機能の起動トリガとなる拡声キーワードの設定処理について説明する。
【００４８】
図５は、本実施形態における携帯電話機１で実行される拡声キーワードの設定処理を説明するフローチャートである。
【００４９】
ステップＳ１１において、主制御部３０は、拡声キーワードの設定を開始する指示を受け付けたか否かの判定を行う。拡声キーワードの設定は、例えばメニュー画面から呼び出し可能な拡声キーワード設定画面より、拡声キーワードの設定を開始する指示を受け付けることにより開始される。主制御部３０は、拡声キーワードの設定を開始する指示を受け付けていないと判定した場合、指示を受け付けるまで待機する。
【００５０】
一方、主制御部３０は、拡声キーワードの設定を開始する指示を受け付けたと判定した場合、ステップＳ１２において、音声制御部３４を制御することによりマイクロフォン２４より入力されたユーザの音声を拡声キーワードとして録音を開始する。拡声キーワードとして設定される語句としては、「助けて」、「痴漢です」、「やめて」など、事件や事故が発生した緊急事態においてユーザが発すると想定される語句が挙げられる。
【００５１】
ステップＳ１３において、主制御部３０は、ユーザの音声パターンや語句が拡声キーワードとして正しく録音されて登録されたか否かの判定を行う。主制御部３０は、拡声キーワードが正しく録音されず、登録が完了していないと判定した場合、ステップＳ１４において、ユーザに拡声キーワードの録音ができなかった旨の通知（ＮＧ通知）を行う。主制御部３０は、例えばメインディスプレイ２３にポップアップを表示したり、アラーム音、ブザー音などを出力したりすることにより、ユーザに対してＮＧ通知を行う。なお、拡声キーワードの録音ができなかった場合とは、例えば録音時における周囲の雑音が影響して音声を検出できなかった場合が該当する。
【００５２】
主制御部３０は、ステップＳ１４においてＮＧ通知を行った後、再び録音ステップＳ１２に戻り、拡声キーワードの録音を開始する。ステップＳ１２〜Ｓ１４は、登録判定ステップＳ１３において拡声キーワードが録音されて登録が完了したと判定されるまで繰り返し実行される。
【００５３】
一方、主制御部３０は、登録判定ステップＳ１３において拡声キーワードが正しく録音されて登録が完了したと判定した場合、ステップＳ１５において、拡声キーワードの録音を終了する。
【００５４】
ステップＳ１６において、主制御部３０は、再度拡声キーワードの録音を行う。ステップＳ１６において再度拡声キーワードを録音するのは、録音ステップＳ１２において録音された拡声キーワードが、正しく登録されているか否かを確認するためである。
【００５５】
ステップＳ１７において、主制御部３０は、録音ステップＳ１６において録音された拡声キーワードと、録音ステップＳ１２において録音され登録された拡声キーワード（音声パターン、語句）とが一致するか否かの判定を行う。主制御部３０は、録音された拡声キーワードと既に登録された拡声キーワードとが一致しないと判定した場合、ステップＳ１８において、ユーザに拡声キーワードの登録が正しく行われなかった旨の通知（ＮＧ通知）を行う。主制御部３０は、例えばメインディスプレイ２３にポップアップを表示したり、アラーム音、ブザー音などを出力したりすることによりユーザに対してＮＧ通知を行う。
【００５６】
主制御部３０は、ステップＳ１８においてＮＧ通知を行った後、再び録音ステップＳ１６に戻り、確認のための拡声キーワードの録音を開始する。ステップＳ１６〜Ｓ１８は、一致判定ステップＳ１７において拡声キーワードが正しく登録されたと判定されるまで繰り返し実行される。なお、登録された拡声キーワードの確認中は、ユーザは拡声キーワードを視聴でき、音声パターンや語句を確認することができるようになっている。
【００５７】
一方、主制御部３０は、一致判定ステップＳ１７において拡声キーワードが正しく登録されたと判定した場合、ステップＳ１９において、確認ための拡声キーワードの録音を終了する。
【００５８】
ステップＳ２０において、主制御部３０は、拡声キーワードが正しく録音されたことをユーザに通知する。主制御部３０は、例えば携帯電話機１に拡声キーワードが正しく録音された旨が記載された登録完了メールを送信することにより、ユーザに通知を行う。
【００５９】
なお、図５の拡声キーワードの設定処理では、録音ステップＳ１６において確認のための拡声キーワードの録音を行うようにしたが、この録音ステップＳ１６の処理を省略してもよい。この場合、一致判定ステップＳ１７および通知ステップＳ１８の処理も省略される。
【００６０】
以上で、拡声キーワードの設定処理の説明を終了する。
【００６１】
次に、設定された拡声キーワードを用いて実行される、緊急時撮影機能について説明する。
【００６２】
図６は、本実施形態における携帯電話機１により実行される緊急時撮影機能による緊急時撮影処理の流れを説明するフローチャートである。この緊急時撮影機能は、拡声モード起動中において、集音された音声に基づく音声データが、拡声モード音声・画像ＤＦ４３に記憶された後（図４の記録ステップＳ４）に実行される。
【００６３】
ステップＳ２１において、主制御部３０は、拡声モード音声・画像ＤＦ４３に記憶された音声データより、拡声キーワードを検出したか否かの判定を行う。主制御部３０は、記憶された音声データより、拡声キーワードが検出されないと判定した場合、緊急時撮影処理を終了する。
【００６４】
一方、主制御部３０は、記憶された音声データより、拡声キーワードを検出した場合、ステップＳ２２において、ＣＣＤカメラ２６、２７を起動させる。このとき起動されるＣＣＤカメラは、内部ＣＣＤカメラ２６および外部ＣＣＤカメラ２７のどちらでもよく、起動されるＣＣＤカメラが予めユーザに設定されていてもよいし、起動時に選択するようにしてもよい。
【００６５】
ステップＳ２３において、主制御部３０は、起動されたＣＣＤカメラ２６、２７により静止画または動画の撮影を開始する。このとき撮影を動画で行うか、または静止画で行うかは、予めユーザにより設定されるようになっている。または、起動時にユーザにより選択させるようにしてもよい。
【００６６】
ステップＳ２４において、主制御部３０は、撮影された静止画または動画に基づく撮影データを、拡声モード音声・画像ＤＦ４３に記憶させる。
【００６７】
ステップＳ２５において、主制御部３０は、撮影が終了したか否かの判定を行う。撮影は、例えばユーザより撮影を終了させる指示を受け付けた場合や、所定時間が経過した場合に終了する。主制御部３０は、撮影が未だ終了していないと判定した場合、撮影ステップＳ２３に戻り、終了したと判定するまで撮影を継続する。一方、主制御部３０は、撮影が終了したと判定した場合、ＣＣＤカメラ２６、２７を終了させて、緊急時撮影処理を終了する。
【００６８】
以上で、緊急時撮影処理の説明を終了する。
【００６９】
次に、設定された拡声キーワードを用いて実行される、緊急通信機能について説明する。
【００７０】
図７は、本実施形態における携帯電話機１により実行される緊急通信機能による緊急通信処理の流れを説明するフローチャートである。この緊急通信機能は、拡声モード起動中において、集音された音声に基づく音声データが、拡声モード音声・画像ＤＦ４３に記憶された後（図４の記録ステップＳ４）に実行される。
【００７１】
なお、緊急通信処理において緊急連絡先として用いられる電話番号、電子メールアドレス、ＵＲＬは、予めユーザにより登録され、緊急連絡先ＤＢ４４に記憶されているものとする。図７で説明する処理においては、電話番号、電子メールアドレスおよびＵＲＬのうち、一の連絡先が緊急連絡先として設定されている場合を説明する。
【００７２】
ステップＳ３１において、主制御部３０は、拡声モード音声・画像ＤＦ４３に記憶された音声データより、拡声キーワードを検出したか否かの判定を行う。主制御部３０は、記憶された音声データより、拡声キーワードが検出されないと判定した場合、緊急通信処理を終了する。
【００７３】
一方、主制御部３０は、記憶された音声データより、拡声キーワードを検出した場合、ステップＳ３２において、予め登録された緊急連絡先が電話番号であるか否かの判定を行う。主制御部３０は、予め登録された緊急連絡先が電話番号であると判定した場合、ステップＳ３３において、その電話番号に対して発呼処理を行う。これにより、予め登録された緊急連絡先に自動的に発呼されるため、ユーザは発信処理を行うことのできない緊急事態であっても、救助などを求めることができる。
【００７４】
一方、主制御部３０は、予め登録された緊急連絡先が電話番号ではないと判定された場合、ステップＳ３４において、予め登録された緊急連絡先が電子メールアドレスであるか否かの判定を行う。主制御部３０は、予め登録された緊急連絡先が電子メールアドレスであると判定した場合、ステップＳ３５において、その電子メールアドレスに送信するための電子メールを作成する。このとき主制御部３０は、拡声モード起動中（図４の記録ステップＳ４）において集音された音声に基づき、拡声モード音声・画像ＤＦ４３に記憶された音声データが添付された電子メールを作成する。また、主制御部３０は、予め設定された救助メッセージを伴った電子メールを作成してもよい。
【００７５】
ステップＳ３６において、主制御部３０は、撮影拡声モード音声・画像ＤＦ４３に、緊急時撮影機能が起動されて撮影された撮影データが存在するか否かの判定を行う。主制御部３０は、撮影データが存在しないと判定した場合、ステップＳ３８に進む。
【００７６】
一方、主制御部３０は、撮影データが存在すると判定した場合、ステップＳ３７において、電子メールに撮影データを添付する。
【００７７】
ステップＳ３８において、主制御部３０は、作成された電子メールを緊急連絡先としての電子メールアドレスに対して送信する。
【００７８】
主制御部３０は、連絡先判定ステップＳ３４において、予め登録された緊急連絡先は電子メールアドレスではないと判定した場合、ステップＳ３９において、緊急連絡先はＵＲＬであるか否かの判定を行う。主制御部３０は、緊急連絡先がＵＲＬでないと判定した場合、緊急通信処理を終了する。なお、ステップＳ３９において、緊急連絡先がＵＲＬでないと判定された場合は、緊急連絡先ＤＢ４４に予め緊急連絡先が登録されていなかった場合が該当する。
【００７９】
一方、主制御部３０は、予め登録された緊急連絡先がＵＲＬであると判定した場合、ステップＳ４０において、そのＵＲＬに緊急連絡をアップロードするためのＨＴＭＬ（ＨｙｐｅｒＴｅｘｔＭａｒｋｕｐＬａｎｇｕａｇｅ）文書を作成する。このとき主制御部３０は、拡声モード起動中（図４の記録ステップＳ４）において集音された音声に基づき、拡声モード音声・画像ＤＦ４３に記憶された音声データをアップロードするためのＨＴＭＬ文書を作成する。また、主制御部３０は、予め設定された救助メッセージを伴ったＨＴＭＬ文書を作成してもよい。
【００８０】
ステップＳ４１において、主制御部３０は、撮影拡声モード音声・画像ＤＦ４３に、緊急時撮影機能が起動されて撮影された撮影データが存在するか否かの判定を行う。主制御部３０は、撮影データが存在しないと判定した場合、ステップＳ４３に進む。
【００８１】
一方、主制御部３０は、撮影データが存在すると判定した場合、ステップＳ４２において、撮影データをアップロードするＨＴＭＬ文書を作成する。
【００８２】
ステップＳ４３において、主制御部３０は、作成されたＨＴＭＬ文書を緊急連絡先としてのＵＲＬにアップロードする。
【００８３】
以上で、緊急通信処理の説明を終了する。
【００８４】
なお、図７の緊急通信処理においては、予め登録された一の緊急連絡先に緊急連絡を行う例を説明したが、これに限らず緊急連絡先として登録された複数の電話番号、電子メールアドレスおよびＵＲＬに緊急連絡を行うようにしてもよい。
【００８５】
また、図７の緊急通信処理においては、音声データおよび撮影データの少なくとも一方を添付・アップロードしてもよいし、メッセージのみをアップロードするようにしてもよい。
【００８６】
この携帯電話機１によれば、緊急事態が発生した場合においては、防犯対策として携帯電話機１を拡声器として利用することができる。このため、周囲の者に対して音声を用いて緊急事態であることを正確に伝えることができる。
【００８７】
また、携帯電話機１は、拡声器として利用することができるのみならず、拡大されて出力された音声を録音することができる。このため、携帯電話機１は、緊急事態が発生した場合にその状況を正確に記録することができ、緊急事態発生後の防犯対策にも活用することができる。また、携帯電話機１は、予め拡声キーワードを設定しておくことにより、録音された音声に拡声キーワードが含まれる場合には、緊急事態に応じた種々の処理を自動的に実行することができる。
【００８８】
携帯電話機１は、拡声キーワードを検出した場合に自動的に静止画または動画の撮影を行うことで、緊急事態が発生した状況を視覚的に正確に記録することができる点で有効である。緊急事態におけるユーザは、携帯電話機１の煩雑な操作を行うことが困難であることが想定されるが、撮影を自動的に行うことで、例えば危害を加えた相手の様相を正確に記録することができる。
【００８９】
さらに、携帯電話機１は、拡声キーワードを検出した場合に自動的に緊急連絡先への緊急連絡（通信）を実行することで、緊急事態が発生した状況を遠隔地にいる者に対しても知らせることができる。このとき、携帯電話機１は、記憶された音声データや撮影データと共に緊急連絡を行うことができるため、より正確に現在の状況を伝えることができる点で優れている。
【００９０】
なお、本発明に係る携帯端末は、携帯電話機１以外にもＰＤＡ（ＰｅｒｓｏｎａｌＤｉｇｉｔａｌＡｓｓｉｓｔａｎｔ）、パーソナルコンピュータ、携帯型ゲーム機、携帯型音楽再生機、携帯型動画再生機、その他の携帯端末にも適用することができる。
【００９１】
また、本発明の実施形態において説明した一連の処理は、ソフトウェアにより実行させることもできるが、ハードウェアにより実行させることもできる。
【００９２】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００９３】
１  携帯電話機
１１  ヒンジ部
１２  第一の筐体
１３  第二の筐体
１４  操作キー
１５  数字キー
１７  確定キー
２３  メインディスプレイ
２４  マイクロフォン
２５  レシーバ
２６  内部ＣＣＤカメラ
２７  外部ＣＣＤカメラ
２８  サブディスプレイ
３０  主制御部
３１  電源回路部
３２  入力制御部
３３  表示制御部
３４  音声制御部
３５  スピーカ
３６  記憶部
３７  通信制御部
３８  アンテナ
４１  ユーザデータ格納部
４２  拡声キーワードデータフォルダ（ＤＦ）
４３  画像データフォルダ（ＤＦ）
４４  緊急連絡先データベース（ＤＢ）
【図１】
2010226461.tif 000003
【図２】
2010226461.tif 000004
【図３】
2010226461.tif 000005
【図４】
2010226461.tif 000006
【図５】
2010226461.tif 000007
【図６】
2010226461.tif 000008
【図７】
2010226461.tif 000009